(57)【特許請求の範囲】
【請求項１】
裏面が全体的に皮膚に密着して滑らない材質である発泡樹脂又はシリコンゴム、表面が全体的に面ファスナーが接着するパイル地からなり、伸縮自在であり、裏面に装着用の面ファスナーを有し、該面ファスナーを表面のパイル地に接着させて対象部位の周囲に装着するサポーター部材と、裏面に面ファスナーを有し、表面が全体的に面ファスナーが接着するパイル地からなり、前記サポーター部材とは別体で、伸縮性を有し、前記サポーター部材の表面に貼り付けられる複数本のベルト部材により構成され、さらに該ベルト部材は、その裏面に複数の面ファスナーが間隔を置いて取り付けられ、かつその伸縮範囲が制限されていることを特徴とする請求項１に記載されたテーピング装置。
【発明の詳細な説明】
【０００１】
【発明の属する技術分野】
本発明は、主として関節の可動制限と不安定性の支持及び補強、あるいは靱帯、筋肉、腱などの機能の補助、さらに関節、靱帯、筋肉、腱などの患部圧迫による疼痛の緩和等を目的として行われている周知のテーピングに代わる、新たな身体装具に関する。
【０００２】
【従来の技術】
テーピングは、一方の面に粘着剤の付いた綿や化学繊維などでできたテープを体の一部に貼り、関節、靱帯、筋肉、腱などに対し上記のような制限、支持、補助、圧迫を行うものであり、外傷予防、応急処置、軽度の外傷治療、再発防止とリハビリテーション、関節矯正などに用いられていたが、最近では特にスポーツ分野において、外傷発生の予防、早期からの機能回復訓練やプレーへの参加などを目的として広く用いられるようになった（アスレチックテーピング）。
【０００３】
【発明が解決しようとする課題】
ところが、テーピングに用いるテープは、その粘着性のため貼り付ける際の取り扱いが難しいこと、患者の体質によっては粘着剤による皮膚のかぶれが生ずる心配があること、身体から剥したテープは再利用できず廃棄処分する必要があるため、施術のたびに新たなテープを必要とすること、さらに、患部の状態に応じた方向及び緊張度のテーピングを行うには専門家の施術に頼らざるを得ないこと、などの問題がある。
本発明は、このような従来のテーピングの問題点に鑑みてなされたもので、従来のテーピングと同様の機能をもつが上記の問題点がなく、従来のテーピングに代わる新たな身体装具（本願ではテーピング装置と称する）を得ることを目的とする。
【０００４】
【課題を解決するための手段】
本発明にかかるテーピング装置は、裏面が全体的に皮膚に密着して滑らない材質、表面が全体的に面ファスナーが接着するパイル地からなり、伸縮自在であり、裏面に装着用の面ファスナーを有し、該面ファスナーを表面のパイル地に接着させて対象部位の周囲に装着するサポーター部材と、裏面に面ファスナーを有し、表面が全体的に面ファスナーが接着するパイル地からなり、前記サポーター部材とは別体の伸縮性を有する複数本のベルト部材から構成される。ここで、ベルト部材は、その裏面に複数の面ファスナーが間隔を置いて取り付けられ、かつその伸縮範囲が制限されていて、対象部位に装着されたサポーター部材及び必要に応じて一緒に用いられる他のベルト部材の表面に張力をかけた状態で貼り付けて用いられる。
【０００５】
【発明の実施の形態】
本発明によれば、サポーター部材が対象部位に装着されるとその裏面が皮膚に密着して事実上滑らず、サポーター部材にかかる張力や圧縮力はほぼそのまま皮膚に伝達される。従って、サポーター部材自体を皮膚に見立て、一方、ベルト部材をテープに見立てて、テープを皮膚に直接貼り付ける従来のテーピングと同様に、ベルト部材をサポーター部材の表面及び必要に応じて一緒に用いられる他のベルト部材の表面に面ファスナーで貼り付ければ、従来のテーピングと同様の作用効果を得ることができる。
【０００６】
上記テーピング装置において、望ましくはサポーター部材が伸縮自在とされる。伸縮自在なサポーター部材を軽く張力をかけて装着することにより裏面が皮膚に強く密着してさらに滑りにくくなり、ベルト部材からサポーター部材にかけられる力が皮膚に対しよりストレートに伝達される。このサポーター部材の裏面の好ましい材質として、例えば発泡樹脂（発泡ウレタン樹脂等）、シリコンゴムを挙げることができる。これらはいずれも皮膚に密着して滑りにくいという特徴をもっている。
上記テーピング装置のベルト部材は、例えばその裏面に複数の面ファスナーが間隔を置いて取り付けられ、かつベルト部材の伸縮範囲が制限されている。
【０００７】
図１〜図６は、本発明にかかるテーピング装置とその装着形態を示すものである。
図１に示すテーピング装置は、右肩に装着するサポーター部材１と３本のベルト部材２（本数は任意）からなるテーピング装置である。サポーター部材１は皮膚に密着する裏面全体が発泡ウレタン地、表面全体がパイル地からなる合わせ地で構成され、ある程度伸縮性がある。また、裏面の数カ所に面ファスナー１ａが取り付けられ、装着時にはこれらを表面のパイル地に接着するようになっている。一方、ベルト部材２は、裏面に複数の面ファスナー２ａが一点間隔を置いて取り付けられ、表面全体がパイル地であり、伸縮性があるがその伸縮範囲が制限されている（ファスナーの間のパイル地が伸び切るまでは伸びる）。
【０００８】
このサポーター部材１を図２に示すように肩の周囲を包囲するように装着し、図３に示すようにベルト部材２をその表面に貼り付ける。この例は、肩関節の外旋を制限するものであり、通常のテーピングとほぼ同じ要領で、ベルト部材２を斜めに後ろから前に向け張力をかけて貼り付ける。ベルト部材２の張力が一本では不足するときは、この例のように複数本のベルト部材２を使用すればよい。
また、例えば図４に示すように、ベルト部材２を上腕から肩関節を通って上向きに張力をかけて貼り付ければ、習慣性肩関節脱臼に対するテーピングになる。このように、本発明に係るテーピング装置は、同じものでも種々の使用形態を自在にとることができる利点がある。
【０００９】
図５は、サポーター部材１１を膝の周囲を包囲するように装着し、通常のテーピングとほぼ同じ要領で、ベルト部材１２を膝の外側で×印になるように張力をかけて貼り付け、その端部を内側に巻き回して、膝に対し外側から内側に向かう矯正力を付与し、さらに膝を曲げた状態でベルト部材１２を膝の中心に張力をかけて上下に貼り付け、筋肉の補助を行ったものであり、変形性膝関節症に対するテーピングである。なお、サポーター部材１１とベルト部材１２の材質は図１〜３のものと同じであり、サポーター部材１１は膝の周囲に巻き付けて面ファスナーで接着できるようになっている。
また、例えば図６に示すように、膝関節の前面で×印及び上下に張力をかけて貼り付けると、バレーボールの競技者に多いいわゆるジャンパーズニーに対する筋肉補助のテーピングになる。
【００１０】
図７は、サポーター部材２１を肘の周囲を包囲するように装着し、通常のテーピングとほぼ同じ要領で、ベルト部材２２を上腕の内側から肘関節を通って前腕の外側に向けて張力をかけて貼り付け、肘関節の外旋を制限したもので、いわゆる野球肘に対するテーピングである。なお、サポーター部材２１とベルト部材２２の材質は図１〜３のものと同じであり、サポーター部材２１は肘の周囲に巻き付けて面ファスナーで接着できるようになっている。
【００１１】
【発明の効果】
本発明に係るテーピング装置は、粘着剤を用いて直接皮膚に貼り付けるものではないので、皮膚のかぶれが生ずる心配がない。また、同じテーピング装置を何度でも使用することができ、さらに対象部位が同じであれば異なる症状に対しても、ベルト部材の貼り付け形態を変えるだけで適用できるので、コスト的に従来のテーピングに比べて安価になる。
【００１２】
さらに、従来のテーピングでは常に専門家の施術に頼らざるを得なかったが、本発明に係るテーピング装置によれば、ベルト部材の貼り付け及び引き剥しなどの取り扱いが容易であるため、何度か専門家の施術を受けてテーピングの形態とテーピング後の制限、支持、補助、圧迫の具合を覚えておけば、自分で貼り付けの方向及び緊張度を確かめながらテーピングを行うことができ、またテーピング後に制限、支持、補助、圧迫の具合に違和感があれば、簡単にやり直すこともできるという利点がある。
【図面の簡単な説明】
【図１】本発明に係るテーピング装置（肩装着）を説明する図である。
【図２】その装着手順を示す図である。
【図３】同じくその装着手順を示す図である。
【図４】そのテーピング装置を他の症状に適用した例を示す図である。
【図５】本発明に係るテーピング装置（膝装着）を装着した図である。
【図６】そのテーピング装置を他の症状に適用した例を示す図である。
【図７】本発明に係るテーピング装置（肘装着）を装着した図である。
【符号の説明】
１、１１、２１  サポーター部材
２、１２、２２  ベルト部材
【図１】
0003587742.tif 000002
【図２】
0003587742.tif 000003
【図３】
0003587742.tif 000004
【図４】
0003587742.tif 000005
【図５】
0003587742.tif 000006
【図６】
0003587742.tif 000007
【図７】
0003587742.tif 000008